(57)【特許請求の範囲】
【請求項１】
（ａ）アルキル基の平均炭素数が８〜１６であり、糖の平均縮合度が１〜２のアルキルグリコシドを０．０５〜０．１５質量％、（ｂ）炭素数８〜２０の炭化水素基を１つ有するアルキルアミンオキシドを０．００１〜０．０５質量％、（ｃ）エタノールを５〜２０質量％、（ｄ）香料を０．００１〜０．１質量％、及び水を含有し、質量比として（ａ）／（ｂ）＝６０／４０〜９９／１、［（ａ）＋（ｂ）］／（ｄ）＝１〜１０である水拭き用洗浄剤組成物。
【請求項２】
（ｃ）エタノールを５〜２０質量％含有する請求項１記載の水拭き用洗浄剤組成物。
【請求項３】
請求項１又は２記載の水拭き用洗浄剤組成物をスプレー式容器に充填してなる、スプレー式水拭き用洗浄剤物品。
【発明の詳細な説明】
【技術分野】
【０００１】
本発明は、一般家庭において日常的に行われる食卓、調理台まわり、床などの水拭き用洗浄剤組成物に関する。
【背景技術】
【０００２】
一般家庭において調理前後の調理台まわりや食事前後の食卓まわり、フローリング床などの清掃作業は、頑固な汚れが存在する場合には住居用洗浄剤組成物が用いられているが、通常は布巾や雑巾を用いて水拭きで済ませる場合が多い。これは住居用洗浄剤組成物で対象物を処理した場合、拭き取りが不十分であると洗浄成分である界面活性剤が対象物に残存してヌルつく場合があり、使用者は拭き取りを十分しなければいけないという心理的な抵抗感により洗浄剤組成物を用いることを敬遠するためである。特に対象物にスプレーして処理する住居用洗浄剤組成物においては、泡立ちが洗浄効果を想起させることから、起泡性のある洗浄剤組成物の開発が一般に行われているが、水拭きのような軽い清掃作業の場合には、逆に拭き取りに対する抵抗感を与える。
【０００３】
一方、水だけで対象物を拭く清掃作業の場合には、水がぬれ広がらずに対象物上に水滴として残存し、乾燥が遅くなるばかりか、水滴に濃縮した汚れが乾燥時に局在化し、残留するという課題がある。このような課題を解決する手段としては、洗浄剤組成物にエタノールを配合することが考えられるが、エタノールには強い刺激臭がある。また、高濃度のエタノールを含有する洗浄剤組成物をワックスが施された床の水拭きに使用した場合、ワックス床に対して白化や光沢低下などの悪影響を及ぼす。従って、エタノールを含有する洗浄剤組成物を用いる軽い清掃作業である水拭きにおいて、十分な洗浄力を有し、泡立ちがなく、ヌルつきのなさや跡残りのなさなどの仕上がり性に優れ、ワックス床に対して白化や光沢低下などの悪影響を及ぼさず、乾燥が早く、エタノール臭が全く気にならない、水拭き用洗浄剤組成物が強く求められる。
【０００４】
特許文献１には界面活性剤を含有せず、エタノールを洗浄成分とする拭き取りタイプの洗浄剤組成物の技術が開示されている。また、該公報には香料を含有することも記載されている。特許文献２にはアルキルグリコシド及びアルキルアミンオキシドを含有する硬質表面用の洗浄剤組成物の技術が開示されている。
【先行技術文献】
【特許文献】
【０００５】
【特許文献１】特開２００５−８９６３８号公報
【特許文献２】特開２００４−１０７６５５号公報
【発明の概要】
【発明が解決しようとする課題】
【０００６】
特許文献１に記載されている香料を併用してもエタノール臭を軽減するには十分でない。特許文献２は、界面活性剤濃度が低い系での洗浄力、起泡性を向上させる技術であり、かつ軽い拭き取り作業で満足できる仕上がりが得られる技術であるが、豊かな泡を積極的に生じさせるものであり、泡立ちの抑制という観点での使用やそのための好適な組成は、十分には検討されていない。
【０００７】
従って本発明は、エタノールを含有する洗浄剤組成物を用いる軽い清掃作業である水拭きにおいて、泡立ちがなく、跡残りのなさなどの仕上がり性に優れることに加えて、エタノール臭が全く気にならない、さらにワックス床に対して悪影響のない水拭き用洗浄剤組
成物を提供することにある。
【課題を解決するための手段】
【０００８】
本発明は、（ａ）アルキル基の平均炭素数が８〜１６であり、糖の平均縮合度が１〜２のアルキルグリコシド〔以下、（ａ）成分という〕を０．０５〜０．１５質量％、（ｂ）炭素数８〜２０の炭化水素基を１つ有するアルキルアミンオキシド〔以下、（ｂ）成分という〕を０．００１〜０．０５質量％、（ｃ）エタノール〔以下、（ｃ）成分という〕を５〜２０質量％、（ｄ）香料〔以下、（ｄ）成分という〕を０．００１〜０．１質量％、及び水を含有し、質量比として（ａ）／（ｂ）＝６０／４０〜９９／１、［（ａ）＋（ｂ）］／（ｄ）＝１〜１０である水拭き用洗浄剤組成物に関する。
【０００９】
また、本発明は、上記本発明の水拭き用洗浄剤組成物をスプレー式容器に充填してなる、スプレー式水拭き用洗浄剤物品に関する。
【発明の効果】
【００１０】
本発明によれば、エタノールを含有する洗浄剤組成物を用いる軽い清掃作業である水拭きにおいて、泡立ちがなく、跡残りのなさなどの仕上がり性に優れることに加えて、エタノール臭が全く気にならない、さらにワックス床に対して悪影響のない水拭き用洗浄剤組成物が提供される。
【発明を実施するための形態】
【００１１】
＜（ａ）成分＞
本発明で用いる（ａ）成分は、アルキル基の平均炭素数が８〜１６、好ましくは８〜１４であり、糖の平均縮合度が１〜２、好ましくは１．１〜１．８のアルキルグリコシドであり、具体的には下記一般式（１）で表される化合物が好適である。
Ｒ1（ＯＲ2）xＧy      （１）
〔式中、Ｒ1は炭素数８〜１６の炭化水素基、好ましくは直鎖又は分岐鎖のアルキル基又はアルケニル基を示し、Ｒ2は炭素数２〜４のアルキレン基を示し、Ｇは炭素数５〜６の還元糖に由来する残基を示し、ｘはその平均値が０〜５となる数を示し、y はその平均値が１〜２となる数を示す。〕
【００１２】
上記一般式（１）において、Ｒ1で示されるアルキル基又はアルケニル基としては、エタノール臭低減化の点から特に炭素数１０〜１６のものが好ましい。また、Ｒ2で示されるアルキレン基としては、溶解性の点から特に炭素数２のものが好ましい。また、Ｇで示される炭素数５〜６の還元糖に由来する残基は、使用される単糖類もしくは２糖類以上の糖によってその構造が決定される。Ｇで示される残基の原料としては、単糖類ではグルコース、ガラクトース、キシロース、マンノース、リキソース、アラビノース、フルクトース又はこれらの混合物等が挙げられ、２糖類以上ではマルトース、キシロビオース、イソマルトース、セロビオース、ゲンチビオース、ラクトース、スクロース、ニゲロース、ツラノース、ラフィノース、ゲンチアノース、メンジトース又はこれらの混合物等が挙げられる。これらのうち好ましい原料は、それらの入手性及び低コストの点から、単糖類ではグルコース及びフルクトースであり、２糖類以上ではマルトース及びスクロースである。
【００１３】
また、上記一般式（１）の中のｘは、その平均値が０〜５、好ましくは０〜２である。このｘの値により（ａ）成分の水溶性及び結晶性を調節することができる。すなわち、ｘが大きい値となるほど（ａ）成分の水溶性が高くなりかつ結晶性が低くなる傾向にある。
【００１４】
また上記一般式（１）の中のｙの平均値が１より大きい場合、つまり（ａ）成分が２糖類以上の糖鎖を親水性基とする場合、糖鎖の結合様式が１−２、１−３、１−４、１−６結合又はα−、β−ピラノシド結合もしくはフラノシド結合及びこれらの混合された結合様式である任意の混合物を含むことが可能である。
【００１５】
上記一般式（１）中のｙは、その平均値が１〜２、好ましくは１．１〜１．８、特に好ましくは １．２〜１．６である。このｙの値（糖縮合度）は1Ｈ−ＮＭＲにより測定する。具体的な測定方法としては、特開平８−５３６９６号公報第６頁第１０欄２６行目〜７頁第１１欄１５行目を参照する。
【００１６】
＜（ｂ）成分＞
本発明で用いる（ｂ）成分は、炭素数８〜２０の炭化水素基を１つ有するアルキルアミンオキシドであり、具体的には下記一般式（２）の化合物が好ましい。
【００１７】
【化１】
0005552041.tif 000002
【００１８】
〔式中、Ｒ3はアミド基で分断されていても良い炭素数８〜１６の炭化水素基、好ましくはアルキル基又はアルケニル基を示し、及びＲ4、Ｒ5はそれぞれ同一であっても異なっていても良い、炭素数１〜３のアルキル基又は炭素数１〜３のヒドロキシアルキル基を示す。〕
【００１９】
一般式（２）においてＲ3は炭素数８〜１４のアルキル基、又は炭素数８〜１４のアルカノイルアミノプロピル基が好ましく、特に炭素数１０〜１４のアルキル基が好ましく、Ｒ4、Ｒ5はメチル基が好ましい。
【００２０】
より具体的には、Ｎ−デシル−Ｎ，Ｎ−ジメチルアミンオキシド、Ｎ−ラウリル−Ｎ，Ｎ−ジメチルアミンオキシド、Ｎ−ミリスチル−Ｎ，Ｎ−ジメチルアミンオキシド、Ｎ−カプロイルアミノプロピル−Ｎ，Ｎ−ジメチルアミンオキシド、Ｎ−ラウロイルアミノプロピル−Ｎ，Ｎ−ジメチルアミンオキシド、Ｎ−ミリスチロイルアミノプロピル−Ｎ，Ｎ−ジメチルアミンオキシドを挙げることができ、特にＮ−ラウリル−Ｎ，Ｎ−ジメチルアミンオキシド、Ｎ−ミリスチル−Ｎ，Ｎ−ジメチルアミンオキシドがエタノール臭抑制効果の点から好ましい。
【００２１】
＜（ｃ）成分＞
本発明の（ｃ）成分はエタノールであり、本発明における洗浄成分である。エタノールとしては、メタノール、イソプロピルアルコール、ヘキサンなどで変性された工業用アルコールを用いてもよく、日本薬局方で指定されている純度９９．５％以上の無水エタノール、水を４〜５％含有する含水エタノール、純度７０〜９０％の消毒用エタノールなどを用いることができる。
【００２２】
＜（ｄ）成分＞
本発明の（ｄ）成分は香料であり、単独の香料成分を用いてもよく、複数の香料成分を特定の比率で含有する香料組成物として用いることもできる。香料成分としては、「香料の化学」（赤星亮一著、日本化学会編産業化学シリーズ昭和５８年９月１６日発行）や「合成香料化学と商品知識」（印藤元一著、化学工業日報社、１９９６年３月６日発行）や「香料と調香の基礎知識」（中島基貴著、産業図書（株）、１９９５年６月２１日発行）
に記載のものを用いることができる。
【００２３】
具体的には炭化水素系香料、アルコール系香料、エーテル系香料、アルデヒド系香料、ケトン系香料、エステル系香料、ラクトン系香料、環状ケトン系香料、含窒素系香料、好ましくは炭化水素系香料、アルコール系香料、アルデヒド系香料を挙げることができる。
【００２４】
本発明ではエタノール臭の低減の観点から、炭化水素系香料成分、特に好ましくはリモネンを含有する香料組成物を用いることが好ましく、香料組成物中に好ましくは１０〜１００質量％、より好ましくは５０〜１００質量％のリモネンを含有する。
【００２５】
＜（ｅ）成分＞
本発明では任意ではあるが、洗浄操作において常に求められる衛生の観点から、（ｅ）成分として、除菌剤を含有することが好ましい。ここで本発明の除菌剤は、「香粧品、医薬品防腐・殺菌剤の科学」吉村孝一、滝川博文著、フレグランスジャーナル社、１９９０年４月１０日発行、５０１頁〜５６４頁に記載されているものを使用することができ、好ましいものとしてはトリクロサン、ビス−（２−ピリジルチオー１−オキシド）亜鉛、２，４，５，６−テトラクロロイソフタロニトリル、トリクロロカルバニリド、２−（４−チオシアノメチルチオ）ベンズイミダゾール、ポリヘキサメチレンビグアニジン塩酸塩、グルクロン酸クロルヘキシジン、８−オキシキノリン及びポリリジンから選ばれる１種以上である。また、特開平１１−１８９９７５号に記載されているトリクロサン類自体も良好であり、具体的にはジクロロヒドロキシジフェニルエーテル、モノクロロヒドロキシジフェニルエーテルが好ましい。
【００２６】
（ｅ）成分としては、さらには、炭素数８〜１４のジアルキルジメチルアンモニウム塩、炭素数８〜１４のアルキルジメチルベンジルアンモニウム塩、炭素数８〜１６のアルキルピリジニウム塩から選ばれる４級アンモニウム塩型除菌剤も好適に用いることができる。塩としてはクロル塩、ブロム塩、硫酸塩、炭素数１〜３のアルキル硫酸エステル塩、炭素数１〜３のアルキル基が１〜３個置換していても良いベンゼンスルホン酸塩、炭素数１〜１２の脂肪酸塩が好適である。
【００２７】
本発明では、（ｅ）成分としては、４級アンモニウム塩型除菌剤が最も好適である。
【００２８】
＜水拭き用洗浄剤組成物＞
本発明の水拭き用洗浄剤組成物は、（ｃ）成分を主洗浄成分として用いるがエタノール臭が強いため、（ｄ）成分の香料成分を併用する。しかしながら（ｄ）成分だけでは（ｃ）成分の強い刺激臭を抑制することができない。
【００２９】
本発明では、（ａ）成分、（ｂ）成分を（ｃ）成分、（ｄ）成分とを組み合わせ、且つ（ａ）／（ｂ）の質量比及び［（ａ）＋（ｂ）］／（ｄ）の質量比を、それぞれ特定範囲とすることで、洗浄操作において負担感を感じさせる泡立ちがなく、跡残りのなさなどの仕上がり性に優れることに加えて、エタノール臭が全く気にならない、さらにワックス床に対して悪影響のない水拭き用洗浄剤組成物を提供するものである。
【００３０】
本発明では（ａ）成分の含有量は水拭き用洗浄剤組成物中に、０．０５〜０．１５質量％であり、０．０７５〜０．１１質量％が好ましい。洗浄力の確保、洗浄力に必要なエタノール量の低減によるエタノール臭低減の観点から０．０５質量％以上であり、拭き取り後のヌルつきのなさ、跡残りのなさなどの仕上がり性の観点から０．１５質量％以下である。
【００３１】
本発明では（ｂ）成分の含有量は水拭き用洗浄剤組成物中に、０．００１〜０．０５質量％であり、０．００５〜０．０３質量％が好ましい。洗浄力、洗浄力の確保に必要なエタノール量の低減によるエタノール臭低減、香料の洗浄剤組成物への可溶化、不溶香料由来の刺激臭防止、低温貯蔵安定性の観点から０．００１質量％以上であり、拭き取り後のヌルつきのなさ、跡残りのなさなどの仕上がり性の観点、あるいはワックスへの影響の観点から０．０５質量％以下である。
【００３２】
本発明では（ｃ）成分のエタノールの含有量は水拭き用洗浄剤組成物中に、５〜２０質量％であり、１０〜１５質量％が好ましい。洗浄力、香料の洗浄剤組成物への可溶化、不溶香料由来の刺激臭防止の観点から５質量％以上であり、エタノール臭やワックスへの影響の観点から２０質量％以下である。
【００３３】
本発明では（ｄ）成分の香料の含有量は水拭き用洗浄剤組成物中に、０．００１〜０．１質量％であり、０．００７〜０．０５質量％が好ましい。香料によるエタノール臭のマスキングの観点から０．００１質量％以上であり、洗浄剤組成物への不溶香料由来の刺激臭防止の観点から０．１質量％以下である。
【００３４】
（ａ）成分と（ｂ）成分の濃度比率は、洗浄力、泡立ちのなさ、ヌルつきのなさや跡残りのなさなどの仕上がり性、ワックスへの影響、香料の洗浄剤組成物への可溶化、不溶香料由来の刺激臭防止、低温貯蔵安定性の観点から（ａ）／（ｂ）＝６０／４０〜９９／１（質量比）であるが、好ましくは（ａ）／（ｂ）＝８０／２０〜９６／４である。洗浄力、泡立ちのなさ、ヌルつきのなさや跡残りのなさなどの仕上がり性、ワックスへの影響の観点から６０／４０以上であり、洗浄力、香料の洗浄剤組成物への可溶化、不溶香料由来の刺激臭防止、低温貯蔵安定性の観点から９９／１以下である。
【００３５】
［（ａ）＋（ｂ）］／（ｄ）は香料に対する界面活性剤の濃度比率を表す。洗浄力、泡立ちのなさ、ヌルつきのなさや跡残りのなさなどの仕上がり性、ワックスへの影響、香料の洗浄剤組成物への可溶化、不溶香料由来の刺激臭防止の観点から、［（ａ）＋（ｂ）］／（ｄ）は１〜１０（質量比）であるが、好ましくは５〜９である。香料の洗浄剤組成物への溶解性、不溶香料由来の刺激臭防止の観点から１以上であり、過剰量の界面活性剤による泡立ちの防止、ヌルつきのなさや跡残りのなさなどの仕上がり性の観点から１０以下である。
【００３６】
（ｃ）／［（ａ）＋（ｂ）］は界面活性剤に対するエタノールの濃度比率を表す。洗浄力、泡立ちのなさ、ヌルつきのなさや跡残りのなさなどの仕上がり性、ワックスへの影響、乾燥速度、香料の洗浄剤組成物への溶解性、不溶香料由来の刺激臭防止の観点から（ｃ）／［（ａ）＋（ｂ）］は６０〜２００（質量比）が好ましく、より好ましくは１００〜１２０である。泡立ちのなさ、ヌルつきのなさや跡残りのなさなどの仕上がり性、ワックスへの影響の観点から６０以上が好ましく、乾燥速度、香料の洗浄剤組成物への可溶化、不溶香料由来の刺激臭防止の観点から２００以下が好ましい。
【００３７】
本発明の水拭き用洗浄剤組成物は、上記成分を水に溶解／分散／乳化させた形態、すなわち液体組成物であることが好ましく、洗浄剤組成物に用いる水は金属成分を除去したイオン交換水や蒸留水、あるいは次亜塩素酸を０．５〜１０ｐｐｍ程度溶解させた次亜塩素酸滅菌水などを使用することができる。
【００３８】
本発明の水拭き用洗浄剤組成物の２０℃におけるｐＨは、好ましくは５〜８、より好ましくは６〜７．５であり、このようなｐＨ調整は硫酸、塩酸、リン酸、から選ばれる無機酸、クエン酸、りんご酸、マレイン酸、フマール酸、コハク酸から選ばれる有機酸、水酸化ナトリウム、水酸化カリウム、水酸化マグネシウム、炭酸ナトリウム、炭酸カリウムなどの無機アルカリ剤を用いて行われる。ワックスへの影響の観点からｐＨは８以下が好ましく、ｐＨが５以上は必要な酸量が少ないことによる拭き取り後の跡残りの観点や金属製品損傷性の観点から好ましい。本発明では、洗浄剤組成物に緩衝能を持たせることが洗浄力持続性の点から好ましく、上記有機酸、好ましくはクエン酸、及び無機アルカリ剤を併用することが好適である。有機酸はナトリウム塩やカリウム塩の形態で洗浄剤組成物に配合しても差し支えないが、含有量は酸の形態として洗浄剤組成物中に好ましくは０．００１〜０．０２質量％、より好ましくは０．００５〜０．０１５質量％である。無機アルカリ剤の含有量は、本発明の洗浄剤組成物中に好ましくは０．００１〜０．０２質量％、より好ましくは０．００５〜０．０１質量％である。
【００３９】
本発明の水拭き用洗浄剤組成物は、霧状に対象物に噴霧することが好適である。そのため、本発明の水拭き用洗浄剤組成物をスプレー式容器に充填してなるスプレー式水拭き用洗浄剤物品として用いることが好適である。スプレー式容器としては、手動式スプレー容器が好ましく、トリガー式噴霧器が装着されたスプレー容器（トリガー式スプレー容器という）が挙げられる。トリガー式スプレー容器としては、洗浄剤組成物を収容する容器本体と容器本体の口部に装着されたトリガー式噴霧器とを具備するものが挙げられ、さらには容器本体の口部に洗浄剤組成物を噴出するトリガー式噴霧器が装着され、該トリガー式噴霧器の内部に垂直管路および水平管路が形成され、該垂直管路と上記水平管路との連通を遮断するバルブが配設されたスプレー容器が挙げられる。
【００４０】
このようなトリガー式スプレー容器としては、例えば、特開２００４−１８９７６１号公報に記載のトリガー式スプレー容器を使用できる。
【００４１】
噴霧粒径は、噴霧された液体洗浄剤組成物が、当該噴霧手段の噴霧開始位置から噴霧方向に２０ｃｍ離れた位置において、平均粒径１０〜２００μｍ、好ましくは４０〜１２０μｍ、さらに好ましくは６０〜９０μｍ、粒径２００μｍを超える液滴の比率が１体積％以下、粒径１０μｍ未満の液滴の比率が１体積％以下の粒径分布を有するものを用いる。なお、このような粒子径分布は、例えば、レーザー回折式粒度分布計（日本電子製）により測定することができる。
【００４２】
このような噴霧手段は、例えば噴霧口径、ラウンド長さ、液圧及び液の粘度を変化させることによって好ましい分布に制御することができる。それぞれの値は、噴霧粒径分布だけでなく噴霧パターン制御等の目的等によって相互に関係を持つため総合的に最適化されることが好ましいが、噴霧口径は０．１〜１ｍｍが好ましく、更に好ましくは０．３〜０．８ｍｍである。ラウンド長さは０．１〜１ｍｍが好ましく、更に好ましくは０．２〜０．８ｍｍである。液圧は９０〜２０００ｋＰａが好ましく、更に好ましくは１５０〜１３００ｋＰａである。液の粘度は２０℃において１５ｍＰａ・ｓ以下が好ましく、更に好ましくは１〜１０ｍＰａ・ｓが目的の噴霧粒径分布に調整する目的から好ましい。噴霧器を構成する部材の材質や形状等は特に限定されるものではない。
【００４３】
本発明の水拭き用洗浄剤組成物及びスプレー式水拭き用洗浄剤物品は、水拭き用組成物ないし水拭き用物品として好適である。すなわち、居間、部屋、台所、浴室、トイレといった居住まわり等の硬質表面（各種物品、床、壁、天井等）等の軽い洗浄に好適に用いられる。この場合、本発明の組成物は、泡立ち、ヌルつき、跡残りが生じず、仕上がり性に優れており、また、乾燥も早いため、別途水拭き（二度拭き）する必要がない。本発明により、本発明の水拭き用洗浄剤組成物を硬質表面に適用した後、拭き取り洗浄を行う硬質表面の洗浄方法が提供される。拭き取り洗浄は、布巾、雑巾、不織布等を用いて、硬質表面に適用した組成物を硬質表面から除去することが好ましい。
【００４４】
また、本発明の水拭き用洗浄剤組成物は、基体に含浸させて清掃用物品として使用することもできる。本発明の水拭き用洗浄剤組成物を基体に含浸させた清掃用物品は、清掃作業の作業性の観点から好ましい。
【００４５】
水拭き用洗浄剤組成物を含浸させた清掃用物品に用いられる基体としては、可撓性を有し、水拭き用洗浄剤組成物が含浸可能なものであり、使用時に十分な強度を有し、くず等の発生の無いものが用いられる。特に、無荷重下において後述の量の水拭き用洗浄剤組成物を含浸し得る基体を用いることが好ましい。
【００４６】
そのような基体としては、繊維状材料から構成される繊維構造体、例えば、各種紙、不織布、織布若しくは編布が挙げられる。これらの繊維構造体を構成する繊維状材料としては、例えば、セルロース系繊維、変性セルロース系繊維、合成繊維及びこれらの二種以上の混合物等が挙げられる。上記セルロース系繊維としては、例えば木材系パルプや綿、麻等の天然繊維、テンセル、ビスコースレーヨンやアセテート等のセルロース系化学繊維が挙げられる。一方、上記合成繊維としては、例えば、ポリエチレン系繊維、ポリプロピレン系繊維、ポリエステル系繊維、ポリアミド系繊維、ポリアクリロニトリル系繊維、ポリビニルアルコール系繊維及びこれらの合成繊維の少なくとも二種を芯鞘型等に複合化した繊維、並びにこれらの合成繊維の少なくとも二種を混合した繊維等が挙げられる。
【００４７】
また、樹脂中に気泡を分散させて得られる多孔質構造体（例えば、スポンジ状構造体）も上記基体として使用できる。この場合、該多孔質構造体の形状としては、例えばシート状や柱状、直方体等が挙げられるがこれに限定されるものではない。上記多孔質構造体は、そのセル数が１０〜１００セル／２．５ｃｍ（即ち、上記多孔質構造体の任意の部分に２．５ｃｍの直線を引いたときに横切るセルの数が１０〜１００個）、特に３０〜５０セル／２．５ｃｍであることが、上記洗浄剤の含浸性、並びに被洗浄面への適正な量の洗浄剤の放出及び塗布等の点から好ましい。
【００４８】
上記多孔質構造体を構成する材料としては、セルロース系樹脂、合成樹脂及びこれらの二種以上の混合物等が挙げられる。上記セルロース系樹脂としては、ビスコースレーヨンやアセテート等が挙げられる。一方、合成樹脂としては、例えば、ポリエチレン系樹脂、ポリプロピレン系樹脂、ポリエステル系樹脂、ポリアミド系樹脂、ポリアクリロニトリル系樹脂、ポリビニルアルコール系樹脂、ウレタン系樹脂等が挙げられる。
【００４９】
基体への水拭き用洗浄剤の含浸性、並びに水拭き用洗浄剤組成物を含浸させた清掃用物品の使用感及び操作性の観点から、上記基体として、紙、不織布、織布、編物又は多孔質構造体（スポンジ状構造体）を用いることが好ましく、不織布を用いることがより好ましい。またこれらの積層シート材を用いることもできる。積層シート材の構成材料は同一でも良く、或いは異なっていても良い。
【００５０】
また、上記基体として、網状シートの片面又は両面に、繊維ウエブの繊維絡合で形成された不織布状の繊維集合体が、その構成繊維間の絡合と共に該網目状シートに対して絡合状態で一体化されたシートを用いることも好ましい。
【００５１】
また、本発明の水拭き用洗浄剤組成物を含浸させた清掃用物品を用いて硬質表面を拭く洗浄方法は、清掃作業の作業性の観点から、硬質表面の軽い洗浄に好ましい。水拭き用洗浄剤組成物を含浸させた清掃用物品は、基体に予め水拭き用洗浄剤組成物を含浸させてなるもの、あるいは乾燥した基体に水拭き用洗浄剤組成物をスプレー等により使用直前に含浸させてなるもの、の何れでもよい。また、スプレーされた清掃用物品を用いて被清掃面を清掃してもよい。水拭き用洗浄剤組成物を含浸させた清掃用物品は、モップ状の掃除具に装着されて用いられてもよいし、直接手で持って拭き掃除に用いられてもよい。
【００５２】
予め水拭き用洗浄剤組成物が含浸されている場合、水拭き用洗浄剤組成物の含浸率は清掃性の観点から、基体質量〔即ち、未含浸状態（乾燥状態）の基体の質量基準〕あたり１００〜１０００質量％であることが好ましく、１００〜４００質量％であることがより好ましく、１５０〜３５０質量％であることが、更に好ましい。含浸率が１００質量％以上であれば、シミ汚れや土ボコリに対する十分な清掃性能が得られる。１０００質量％以下であれば、被清掃面への洗浄剤組成物の放出量が適正となり被清掃面に汚れや土ボコリが残留せず、また、木質系材料など種々の材料からなる清掃面に影響なく使用できる。清掃性の一層の向上の点から、基体がシートである場合、水拭き用洗浄剤組成物含浸前の坪量は、一定面積の洗浄に必要な洗浄剤の保持性とシートの操作性やコストとの観点から、４０〜２００ｇ／ｍ2であることが好ましく、５０〜１５０ｇ／ｍ2であることがより好ましい。また、その厚みは乾燥状態において３ｇ／ｍ2の荷重下で、凹凸の床への追従性やコストの点から０．２〜１０ｍｍが好ましく、０．４〜５ｍｍであることがより好ましい。
【００５３】
水拭き用洗浄剤組成物を含浸させた清掃用物品使用時に、別途本発明の水拭き用洗浄剤組成物を、被清掃物又は前記清掃用物品に、噴霧しながら使用してもよい。当該使用方法によって、より広い面積を清掃することができる。
【実施例】
【００５４】
実施例１〜１４及び比較例１〜１２
下記表１〜３に示す配合組成により組成物を調製した。なお、表中の成分濃度は有効成分の質量％を示す。得られた各組成物について下記の評価方法により洗浄性、低泡性、仕上がり性、ワックス床損傷性、香料溶解性、エタノール臭、低温貯蔵安定性、乾燥時間の各項目について評価を行った。（ａ）〜（ｄ）成分の濃度の影響を表１に示す。（ａ）／（ｂ）質量比、［（ａ）＋（ｂ）］／（ｄ）質量比の影響を表２に示す。特許文献１に記載の配合例（表３中比較例１１、特許文献１の実施例１の量で（ａ）成分、（ｄ）成分を配合したもの）、特許文献２に記載の配合例（表３中比較例１２、特許文献２記載の配合例１３の量で（ａ）〜（ｄ）成分を配合したもの）との比較を表３に示す。
【００５５】
＜洗浄性＞
ナタネ油に対して０．０５質量％のスダンIIIを添加して着色したものを脱脂綿に含ませてポリプロピレン板上に薄く塗布して汚染面を作成した。このときのポリプロピレン板のサイズは縦：７．０ｃｍ、横：１５ｃｍであり、塗布したスダンIIIを含んだナタネ油の質量は０．５ｇである。各組成物を含浸させた布（サイズは縦：１０ｃｍ、横：１０ｃｍ）でモデル汚染面を一定の力で拭き取り、拭き取り後の布中のスダンIII含有ナタネ油をヘキサンで抽出して、抽出液をヘキサンで１００ｍＬに定容した。得られたヘキサン溶液の吸光度を測定することにより、拭き取ったスダンIII含有ナタネ油を定量した。この量を拭き取り量とした。拭き取り後の対象面を、ヘキサンを含浸させた布（サイズは縦：１０ｃｍ、横：１０ｃｍ）で丁寧に拭き取り、拭き取り後の布中のスダンIII含有ナタネ
油をヘキサンで抽出して、抽出液をヘキサンで１００ｍＬに定容した。得られたヘキサン溶液の吸光度を測定することにより、拭き取ったスダンIII含有ナタネ油を定量した。この量を残存量とした。
洗浄率（％）＝１００×〔拭き取り量／（拭き取り量＋残存量）〕
上記式より洗浄率を求め、洗浄性の指標とした。なお、この数値は大きい方が好ましく、９５％以上であることが好ましい。
【００５６】
＜低泡性＞
各組成物をアレルクリン清潔スプレー（２００９年花王（株）製。１ストロークあたりの吐出量１ｍＬ）付属トリガーで３ストローク、ポリプロピレン板（サイズは縦：７．０ｃｍ、横：１５ｃｍ）上に２０ｃｍの高さから鉛直方向にスプレーし、スプレー直後の粒径１ｍｍ以上の泡の数を計測し低泡性の指標とした。なお、この数値は小さい方が好ましく、５以下であることが好ましい。
【００５７】
＜仕上がり性＞
スライドガラス上に各組成物を０．５ｇ滴下して乾いた布でふき取る。滴下前に比較して滴下拭き取り後の光沢度の減少分を仕上がり性の指標とした。光沢度測定には「ハンディグロスチェッカＩＧ−３１０」（（株）堀場製作所製）（入射角：６０°、反射角：６０°）を使用した。なお、この数値は小さい方が好ましく１０以下であることが好ましい。
【００５８】
＜ワックス床損傷性＞
新品のフローリング板（Ｎａｔｉｏｎａｌ（株）製「クラックレスフロアーＫＥＣ−１２ダークセピア」、サイズは縦：７．０ｃｍ、横：１５ｃｍ）に「フローリングマジックリン」（２００９年花王（株）製）０．５ｇを塗布し、１週間乾燥後、再び「フローリングマジックリン」０．５ｇを塗布し、よく乾燥させた後に、各洗浄剤組成物を滴下し、３０秒静置後、乾いた布で強く拭き取る。拭き取り前後の光沢度の変化（減少分）をワックス床損傷性の指標とした。光沢度測定には「ハンディグロスチェッカＩＧ−３１０（（株）堀場製作所製）を使用した。なお、この数値は小さい方が好ましく、５以下であることが好ましい。
【００５９】
＜香料溶解性＞
各組成物の調製直後の外観を目視で評価した。
１：均一透明で分離・沈殿物が見られない
３：濁りまたは分離・沈殿物が見られる
なお、この数値は小さい方が好ましい。
【００６０】
＜エタノール臭＞
各組成物をアレルクリン清潔スプレー（花王（株）製。１ストロークあたりの平均吐出量１ｍＬ）付属トリガーで３ストローク、十分に広いポリプロピレン板上にスプレーした際のエタノール臭の有無を官能評価した。
１：エタノール臭が感じられない（マスキングされている）
２：エタノール臭がやや感じられる（やや不十分なマスキング）
３：エタノール臭が強く感じられる
なお、この数値は小さい方が好ましい。
【００６１】
＜低温貯蔵安定性＞
各組成物を−５℃で３０日間保存した後の外観を目視で評価した。
１：均一透明で分離・沈殿物が見られない
３：濁りまたは分離・沈殿物が見られる
なお、この数値は小さい方が好ましい。
【００６２】
＜乾燥時間＞
各組成物をアレルクリン清潔スプレー（２００９年花王（株）製。１ストロークあたりの吐出量１ｍＬ）付属トリガーで２ストローク、ポリプロピレン板（サイズは縦：７．０ｃｍ、横：１５ｃｍ）上に２０ｃｍの高さから鉛直方向にスプレーし、すぐに乾いた布でふきのばし、濡れた部分がなくなるまでの時間（秒）を計測して（ｎ＝３平均）乾燥速度の指標とした。なお、この数値は小さい方が好ましく、３０秒以下であることが好ましい。
【００６３】
【表１】
0005552041.tif 000003
【００６４】
【表２】
0005552041.tif 000004
【００６５】
【表３】
0005552041.tif 000005
【００６６】
（注）表中の成分は以下のものである。
（ａ）成分
・ａ−１：ラウリルグルコシド（製品名：マイドール１２（花王（株）製））
（ｂ）成分
・ｂ−１：ラウリルジメチルアミンオキシド（製品名：アンヒトール２０Ｎ（花王（株）製））
（ｄ）成分
・ｄ−１：リモネン８０質量％、ゲラニオール１０質量％、シトラール１０質量％を含有する香料